(57)【要約】      （修正有）【課題】眼鏡の任意のテンプルに補聴器を固定でき、補聴器がテンプルから脱落することのない補聴器固定具を提供する。【解決手段】補聴器固定具Ｘとして、上端側で眼鏡のテンプルにぶら下がり、下端側で補聴器を吊り下げる、リング体からなる固定リング１０と、固定リング１０に通される固定リング１０を真っ直ぐに伸ばした状態において、固定リング１０外周に嵌合する内周を有するリング体からなるの２つの調節リング２０とから構成する。【選択図】図１
0003201857.tif 000002
【実用新案登録請求の範囲】
【請求項１】
上端側で眼鏡のテンプルにぶら下がり、下端側で補聴器を吊り下げる、リング体からなる固定リングと、
前記固定リングに通される前記固定リングを真っ直ぐに伸ばした状態において、当該固定リング外周に嵌合する内周を有するリング体からなるの２つの調節リングと
を有する補聴器固定具。
【請求項２】
前記固定リングはエラストマーにより形成される請求項１に記載の補聴器固定具。
【考案の詳細な説明】
【技術分野】
【０００１】
本考案は、補聴器を眼鏡のテンプルに固定する器具に関する。
【背景技術】
【０００２】
補聴器は一般に高価であるため、耳から脱落することで紛失したり、故障したりすると金銭的な損失が大きい。このため、下記特許文献１には眼鏡のテンプルに側方から係合し、上方に補聴器のコードが嵌る溝が形成された補聴器固定具が示されている。このように補聴器を眼鏡のテンプルに固定すると補聴器が脱落する可能性を大きく減少させることができる。
また、下記特許文献２には、テンプルに吊り下げ、下方でイヤホンコード引っ掛ける器具が示されており、これも補聴器に使用すれば補聴器が脱落することを抑制ことができる。
さらに、眼鏡一体型の補聴器も存在し、このような形状であればほぼ補聴器の脱落を予防することができる。
【先行技術文献】
【特許文献】
【０００３】
【特許文献１】特許第５７１９０５７号公報
【特許文献２】実用新案登録第３００５５９９号公報
【考案の概要】
【考案が解決しようとする課題】
【０００４】
ところで、上記特許文献１に記載の考案は、テンプル上方の溝内に補聴器のコードを嵌める構造であるので、補聴器を跳ね上げるような力が加わると、溝からコードが外れて補聴器ごと落下する可能性は否定できない。また、テンプルに側方から嵌める構造なので、テンプルによっては装着することができないという問題もある。
上記特許文献２に記載の考案は、単純にフックで引っ掛けているだけなので任意のテンプルに用いることができるが、振動や衝撃でフックから補聴器が外れて落下する可能性がある。
眼鏡一体型とすれば、眼鏡から外れて落下することはなくなるが、眼鏡一体型は眼鏡のデザインを柔軟に変更することができず、使用者の趣味嗜好を満足できない場合も多い。
本考案はこのような問題に鑑みて、眼鏡の任意のテンプルに補聴器を固定でき、補聴器がテンプルから脱落することのない補聴器固定具を提供することを課題とする。
【課題を解決するための手段】
【０００５】
上記課題を解決するために、本考案は次のような構成を有する。
請求項１に記載の考案は、上端側で眼鏡のテンプルにぶら下がり、下端側で補聴器を吊り下げる、リング体からなる固定リングと、前記固定リングに通される前記固定リングを真っ直ぐに伸ばした状態において、当該固定リング外周に嵌合する内周を有するリング体からなるの２つの調節リングとを有する補聴器固定具である。
請求項２に記載の考案は、前記補聴器固定具において、前記固定リング又は前記調節リングはエラストマーにより形成されるものである。
【考案の効果】
【０００６】
以上のような構成により、本考案は、次のような効果を奏する。
請求項１に記載の考案は、固定リングの二つの調整リングが嵌められた部分の両端側に形成される二つの輪の一方を眼鏡のテンプルに通してぶら下げ、他方を補聴器のフックやイヤホンコードに通して補聴器をぶら下げ、調整リングをそれぞれ端部側に移動させることでそれぞれの輪を絞めて固定する。これによって補聴器は絞められた輪によってどの方向に動かしても脱落することがなくなり、確実に補聴器を任意の眼鏡のテンプルに固定することができる。
請求項２に記載の考案は、固定リング又は調整リングをエラストマーにより形成すると、調整リングが固定リングに対して摩擦によって動きにくくなるので、よりしっかりと調整リングを固定リングの任意の位置に固定することができる。また、固定リングがエラストマーで形成される場合、補聴器固定具がテンプルに沿って移動することを抑制することができる。
【図面の簡単な説明】
【０００７】
【図１】（ａ）は実施形態に係る補聴器固定具の斜視図であり、（ｂ）は実施形態に係る補聴器固定具の分解斜視図である。
【図２】実施形態に係る補聴器固定具を用いて補聴器を眼鏡のテンプルに固定した状態を示す図である。
【考案を実施するための形態】
【０００８】
以下、本考案の実施の形態について、図面を参照しながら説明する。
図１（ａ）に本実施形態に係る補聴器固定具Ｘの斜視図を示し、図１（ｂ）に補聴器固定部Ｘの分解斜視図を示す。補聴器固定具Ｘは、固定リング１０、調整リング２０とから構成される。
固定リング１０は、シリコーンゴム、天然ゴム、合成ゴム等のエラストマーからなるリング体である。固定リング１０は少なくとも補聴器のフックやイヤホンコードと、眼鏡のテンプルとが余裕を持って通る程度の内径を有する。
調整リング２０は、シリコーンゴム、天然ゴム、合成ゴム等のエラストマーからなるリング体であり２つ設けられる。調整リング２０は、固定リング１０のリング体を構成する紐状部分を二重にしたものが嵌り係合する内径を有する。調整リング２０は、固定リング１０を真っ直ぐに紐状に伸ばしてここに通すことで固定リング１０に固定され、これにより、図１に示すように固定リング１０の両端に輪が形成されることとなる。
【０００９】
次に、以上のような構成を有する補聴器固定具Ｘの使用方法について説明する。図２に補聴器固定具Ｘの使用状態を表す。まず、使用者は固定リング１０の両端に形成される輪の一方を眼鏡のテンプルＴに通し、テンプルＴに近い側の調整リング２０をテンプルＴ側に移動させることで輪を絞め補聴器固定具ＸをテンプルＴに固定する。次に、固定リング１０の両端に形成される輪の他方に補聴器Ｈのフックを通し、補聴器Ｈに近い側の調整リング２０を補聴器Ｈ側に移動させることで輪を絞め補聴器固定具Ｘに補聴器Ｈを固定する。以上の操作により補聴器Ｈは補聴器固定具Ｘを介して眼鏡のテンプルＴに固定されることとなる。なお、フック部分がイヤホンコードを構成する補聴器の場合、フック部分に替えてイヤホンコード部分を固定する。
この状態で眼鏡をかければ、補聴器Ｈは眼鏡が落ちない限り落下することがなく、補聴器の落下による紛失や故障を抑制することができる。また、テンプルの太さに柔軟に対応できるのでほぼ全ての眼鏡のテンプルに装着することができる。なお、眼鏡をかける際には補聴器のフックは、テンプルの下に位置するようにしてもよいし、テンプルの横に位置するようにしてもよい。
【００１０】
なお、上記実施形態では固定リング、調整リングともにエラストマーにより形成しているが、固定リングを天然繊維の紐や、チェーンとしてエラストマーの調整リングを嵌めたり、固定リングをエラストマーとして調整リングを金属リングとする等、材質は適宜変更することができる。
また、本補聴器固定具は、耳掛け式の補聴器の他、ポケット型補聴器のイヤホンコードを眼鏡のテンプルに固定することにも使用することができる。
【符号の説明】
【００１１】
Ｘ  補聴器固定具
Ｔ  テンプル
Ｈ  補聴器
１０  固定リング
２０  調整リング
【図１】
0003201857.tif 000003
【図２】
0003201857.tif 000004